(57)【要約】      （修正有）【課題】ユーザの趣向に適用した意匠画像を有する財布を提供する。【解決手段】小銭入れ部４を外側シート部２によって折り込み保持した財布１について、外側シート部２の外表面を白地の生地として、インクジェットプリンタによって意匠画像を印刷するようにした。【選択図】図１
0003212610.tif 000002
【実用新案登録請求の範囲】
【請求項１】
小銭入れ部を外側シート部によって折り込み保持した財布において、
上記外側シート部の外側シート部材の外表面は白地の生地としてインクジェットプリンタによって印刷できる素材で構成され、
上記外側シート部材の外表面にインクジェットプリンタによって意匠画像を印刷する
ことを特徴とする財布。
【請求項２】
上記外側シート部は、上記小銭入れ部に加えて札入れ及びカード収納部を折り込み保持した
ことを特徴とする請求項１に記載の財布。
【請求項３】
上記外側シート部材の外表面に上記意匠画像を印刷する際に、上記外側シート部材の内表面に配設した上記小銭入れ部が内側に突出する突出形状部を受け入れる凹所を印刷処理用平面内に設けた治具を、上記外側シート部材の内表面に当接させ、これにより上記印刷処理用平面によって上記外側シート部材の外表面に平面を形成させた状態で当該外表面に対して上記意匠画像を上記インクジェットプリンタによって印刷する
ことを特徴とする請求項１に記載の財布。
【考案の詳細な説明】
【技術分野】
【０００１】
本考案は財布に関し、特にユーザの趣向に合せて多機能化したものを提供しようとするものである。
【背景技術】
【０００２】
財布は、身の周り品として常時手元において持ち運ぶと共に、必要になれば札や小銭を簡便に取り出すことができるようにした構成のものが提案されており、特にものを購入する際に必ず必要となる紙幣や小銭硬貨を安全性を確保しながら所持すると共に、支払いに当たっては所持した中から対応する紙幣や小銭を間違えることなくしかも手間をかけずに選択して取り出すことが必要で、従来から例えば特許文献１のようなものが提案されている。
【先行技術文献】
【特許文献】
【０００３】
【特許文献１】実用新案登録第３１４７１９３号公報
【考案の概要】
【考案が解決しようとする課題】
【０００４】
ところが、この種の財布は、貴重品であるから、常に手元において持ち運ぶことができると同時に、失うことの無いようにユーザが常に気配りできるものであると共に、できるだけ小型で、紙幣、小銭（コイン）、カード類、キー（鍵）、チェインの接続などの機能を実現できることが有効である。
【０００５】
本考案は以上の点を考慮してなされたもので、当該必要条件を十分満足できるようにした財布を提案しようとするものである。
【課題を解決するための手段】
【０００６】
かかる課題を解決するため本考案においては、小銭入れ部４を外側シート部２によって折り込み保持した財布１において、外側シート部２の外側シート部材１１の外表面は白地の生地としてインクジェットプリンタによって印刷できる素材で構成され、外側シート部材１１の外表面にインクジェットプリンタによって意匠画像４０を印刷する。
【考案の効果】
【０００７】
本考案によれば、小銭入れ部を外側シート部によって折り込み保持した財布について、外側シート部の外表面にインクジェットプリンタによって意匠画像を印刷するようにしたことにより、ユーザや販売店の好みに応じた意匠画像を有する財布を手軽に提供することができる。
【図面の簡単な説明】
【０００８】
【図１】本考案による財布の一実施の形態を、内部を開示するように示した斜視図である。
【図２】図１の財布の詳細を上方から見た平面図である。
【図３】図１の外側シート部２の外側シート部材１１の表面部の構成を示す斜視図である。
【図４】（Ａ）及び（Ｂ）は外側シート部によって小銭入れ部４を閉じた状態及びロックする状態の説明に供する斜視図である。
【図５】外側シート部材に意匠画像を印刷する際に用いる治具を示す略線的側面図である。
【図６】第２の実施の形態の財布を示す斜視図である。
【図７】図６の外側シート部に意匠画像を印刷する際の外側シート部の説明に供する斜視図である。
【図８】（Ａ）及び（Ｂ）は防磁シートの説明に供する略線図である。
【考案を実施するための形態】
【０００９】
以下図面について本考案の一実施の形態を詳述する。
【００１０】
（１）第１の実施の形態
図１及び図２において、１は、全体として財布を示し、外側シート部２の内側シート面上に左側から右側に向かって第１カード収納部３、小銭入れ部４及び第２カード収納部５が設けられている。
【００１１】
外側シート部２は２枚のシート部材、すなわち外側シート部材１１及び内側シート部材１２を互いに重ね合わせた状態で、図３に示すように、その左側縁部１３Ａ、下側縁部１３Ｂ及び右側縁部１３Ｃを縫糸１４によって一体に縫い付けられ、これにより上側縁部１３Ｄに開口を有するような袋状の札入れ１５を形成する。
【００１２】
かくして札入れ１５は、図１において２点鎖線で示す２本の折れ線１６Ａ及び１６Ｂの位置で左右方向に３つ折り状態に内側に折り込むことができるようになされている。
【００１３】
かくしてこの実施の形態の場合、外側シート部２の折れ線１６Ａから左側の領域に第１カード収納部３が配設され、また折れ線１６Ａから右側の折れ線１６Ｂまでの領域に小銭入れ部４が配設され、さらに折れ線１６Ｂから右側縁部１３Ｃまでの領域に第２カード収納部５が配設される。
【００１４】
第１カード収納部３において、内側シート部材１２の内側表面に縫糸２１によってカード保持シート２２が右側に開口をもつように縫い付けられ、これによりカード保持シート２２と内側シート部材１２との間に矢印ａで示すように、カード２３が挿入できるようになされている。
【００１５】
これに加えてカード保持シート２２には２本のカード用スリット２５Ａ及び２５Ｂが穿設され、これにより２枚のカード２６Ａ及び２６Ｂが矢印ｂ１及びｂ２で示す方向から挿入できるようになされている。
【００１６】
かくして第１カード収納部３には、カード保持シート２２によって３枚のカード２３、２６Ａ及び２６Ｂを収納することができる。
【００１７】
また第２カード収納部５には内側シート部材１２に対してカード保持シート３１が縫糸３２によって縫い付けられ、これによりカード３３を矢印ｃで示すように、内側から外側に向かって挿入することができる。
【００１８】
かくして第２カード収納部５は、カード３３の挿入がしやすいことにより、比較的頻繁に出し入れされるカード３３を出し入れ自在に収納できるようになされている。
【００１９】
小銭入れ部４は２つ折り側面部材３５を有する収容部３６を内側シート部材１２に固着すると共に、当該収容部３６をカバー部材３７によってカバーしてスナップボタン３８によって閉塞できるようになされている。
【００２０】
これによりユーザはスナップボタン３８を解除することにより、カバー部材３７を開いた状態で収容部３６内に小銭を必要に応じて出し入れすることができる。
【００２１】
図１及び図２の構成の財布１は、図４（Ａ）及び（Ｂ）に示すように、小銭入れ部４に向って、折れ線１６側から第１カード収納部３を閉じるように折り込んだ状態で、折れ線１６Ｂ側から第２カード収納部５を閉じるように折り込んだ状態でユーザによって使用される。
【００２２】
この実施の形態の場合、折れ線１６Ｂの近傍に、キャリング用ストラップ取付用はと目２７及びキーホルダ留め具２８が設けられている。
【００２３】
以上の構成に加えて、財布１の外側シート部材１１の表面部１１Ａには、図３に示すように、意匠画像４０が形成されている。
【００２４】
この実施の形態の場合、当該意匠画像４０は、外側シート部材１１を全体として広げるように展開したとき、ユーザが自分の所持品として意識するような図柄に選定され、これによりユーザが財布１を手元において持ち運びながら使用する際に、当該財布１が自分の所持品であることを視覚的に強く意識できるようになされている。
【００２５】
この実施の形態の場合、財布１の外側シート部材１１の表面部１１Ａはインクジェット印刷がしやすい白地の生地が選択され、図１及び図２について上述した構成が完成した状態において、インクジェットプリンタを用いて、意匠画像４０として、デザインプリントや、オリジナル写真を印刷できるような仕様のものに選択されている。
【００２６】
このようなインクジェットプリンタによる印刷は、外側シート部材１１の内側シート部材１２に第１カード収納部３、小銭入れ部４及び第２カード収納部５を形成した状態において、外側シート部材１１を、図３に示すように展開したとき、その表面部１１Ａが各部において段差がないように構成され、これによりインクジェットプリンタによるデザインプリントやオリジナル写真の印刷ができるようになされている。
【００２７】
ここで外側シート部材１１を展開したとき、部分的に段差が生じないようにするため、図５に示すように、展開した外側シート部材１１の表面部１１Ａの裏側に段差防止用の治具５０を用いて表面部１１Ａの段差が実質上インクジェットプリンタによって印刷できる状態に修正すればよく、かくして意匠画像４０としてデザインプリントやオリジナル写真を印刷することができる。
【００２８】
第１カード収納部３の外側シート部材１１の厚み内に係止用マグネット４５が埋設されていると共に、第２カード収納部５の内側シート部材１２の厚み内に係止用マグネット４５と吸着し合う磁極をもつ係止用マグネット４６が設けられており、これにより図４（Ａ）に示すように、小銭入れ部４の内側面に第１カード収納部３を折り曲げた状態において、第２カード収納部５を当該折り曲げた第１カード収納部３を外側から囲むように第２カード収納部５を折り曲げた組立て状態にしたとき、図４（Ｂ）に示すように、係止用マグネット４５及び４６が互いに吸着し合うことにより、全体として小銭入れ部４を取り囲むように第１カード収納部３及び第２カード収納部５を閉じた状態を係止用マグネット４５及び４６の吸着力によって保持する状態になる。
【００２９】
ここで、係止用マグネット４５及び４６は、第１カード収納部３並びに第２カード収納部５の外側シート部材１１の肉厚内において、カード２３、２６Ａ及び２６Ｂ、並びにカード３３が挿入される表面側に防磁シート７０並びに７１が設けられ、これにより係止用マグネット４５及び４６が互いに吸着保持するために放出される磁気が防磁シート７０及び７１によって防止されることにより、カード２３、２６Ａ及び２６Ｂ、並びに３３の記録情報に悪い影響を与えないようになされている。
【００３０】
この実施の形態の場合、係止用マグネット４５の裏側には図８（Ｂ）に示すように、内側シート部材１２との間に防磁シート７０を設けることによりカード２３に磁力線を当てないようにし、またこの実施の形態の場合、係止用マグネット４６の裏側には図８（Ａ）に示すように、内側シート部材１２との間に防磁シート７１を設けることによりカード３３に磁力線を当てないようにする。
【００３１】
この実施の形態の場合、防磁シートは、鉄板、ステンレス板、及び市販されている防磁専用シートなどを用いる。
【００３２】
かくして財布１は図４（Ａ）に示すように外側シート部２を３つ折りに折り込んだ状態でユーザに使用される。
【００３３】
以上の構成において、財布１の外側シート部２の外側シート部材１１及び内側シート部材１２間に紙幣を収納し、また小銭入れ部４の収容部３６に対してカバー部材３７を開いて小銭を収納し、これに加えて第１カード収納部３に横方向からカード２３を収納すると共にカード用スリット２５Ａ及び２５Ｂに縦方向からカードを差し込み、さらに第２カード収納部５のカード保持シート３１に横方向からカード３３を差し込んだ状態でユーザは外側シート部２を図４（Ａ）及び（Ｂ）に示すように３つ折り状態に折りたたむ。
【００３４】
このとき外側シート部２がマグネット４５及び４６によって外側シート部２が折りたたんだ状態に保持される。
【００３５】
この状態において財布１は外観上外側シート部材１１の表面部１１Ａに設けられた意匠画像４０を外表面に表示した状態になるので、ユーザは当該意匠画像４０によって自分の所持物であることを常に意識しながら財布１を持ち運ぶことができ、これにより財布１を見失うことなく持ち運びすることができる。
【００３６】
かくするにつき、意匠画像４０は外側シート部２の内側には保持すべき対象を異にする第１カード収納部３、小銭入れ部４及び第２カード収納部５が形成されている状態で治具を使って外側シート部材１１を平面上に展開した状態でプリントすることができることにより、ユーザの好みに合った画像を確実に保持させることができる。
【００３７】
ここで、財布１の外側シート部２の外側シート部材１１への意匠画像４０の印刷は、図５に示すように、治具５０上に財布１を平面状に展開させた状態で、その表面にインクジェットプリンタによる意匠画像４０の印刷を行う。
【００３８】
この場合治具５０が財布１の内側シート部材１２上に設けられている第１カード収納部３、小銭入れ部４及び第２カード収納部５が内側シート部材１２から下方に突出していることに対応してこれを受け入れる第１カード収納部用凹所５１、小銭入れ部用凹所５２及び第２カード収納部用凹所５３を水平方向に延長している印刷処理用平面５４上に設けている。
【００３９】
かくして財布１を水平方向に広げた状態で第１カード収納部用凹所５１、小銭入れ部用凹所５２及び第２カード収納部用凹所５３に、それぞれ第１カード収納部３、小銭入れ部４及び第２カード収納部５を嵌め込んだ状態で、内側シート部材１２を印刷処理用平面５４上に対接させることより、印刷状態にする。
【００４０】
このとき財布１の外側シート部材１１は印刷処理用平面５４の表面に対接した状態に維持され、この状態において内側シート部材１２上にインクジェットプリンタをプリント動作させれば、プリンタから上方から与えられる印刷圧力は水平状に広がっている印刷処理用平面５４によって受け止められるのに対して、各凹所、すなわち第１カード収納部用凹所５１、小銭入れ部用凹所５２及び第２カード収納部用凹所５３の位置における印刷圧力は対応する凹所によって吸収される。
【００４１】
従って外側シート部材１１上にプリンタによって意匠画像４０を印刷したとき、プリンタは実質上治具５０の印刷処理用平面５４が形成している平面に沿って印刷処理が行われることになる。
【００４２】
これにより外側シート部材１１の表面部１１Ａに印刷された意匠画像４０は、内側の内側シート部材１２上にそれぞれ設けられた部材によって異なる突出状態で突出していても、その突出形状の影響を受けることなく所定の画像として印刷することができる。
【００４３】
その結果財布１を図４について上述したように閉じた状態で使用されたとき、財布１を見たときの外観上の印象は、意匠画像４０を歪なく表示されていることにより、当該財布１のユーザは常に自己の所有物であることを確認しながら財布１を使用することができる。
【００４４】
因みに、上述の構成によれば、財布１の外側シート部材１１に対して意匠画像４０を形成するにつきインクジェットプリンタを用いるようにしたことにより、意匠画像４０の内容は、ユーザごとに別個に区別してプリントすることにより１つづつ個性をもたせた財布１を提供することができると共に、イベントやコンサートなどにおいて記念品や、ＳＰ品（セルフプロモーション品）を配る場合には、同じ画像を数多くプリントすることにより多数のユーザに対して同じ画像の財布１を提供することもでき、要はユーザの趣向に適合させた財布１を提供するものである。
【００４５】
この実施の形態の場合、多機能化の１つとして、外側シート部２には鍵を係止できるはとめ２７が設けられていることと共に、財布１をベルトに結合するためのチェーンを係止できるリング部材２８が設けられている。
【００４６】
（２）第２の実施の形態
図６は第２の実施の形態の財布６０を示し、この場合の財布６０は２つ折りの外側シート部６１を有し、その第１外側シート部材６２Ａの外縁部が中折れ部６２Ｃを介して連設されている第２外側シート部材６２Ｂの外周縁がファスナ６３によって開閉自在に連結されている。
【００４７】
これによりユーザは、ファスナ６３を開いて内部に形成されている蛇腹構成の小銭入れ及びカード入れに対して小銭やカード類を出し入れするようになされている。
【００４８】
外側シート部６１は図７に示すように折れ線６４の位置において２つ折りに折り曲げることにより図６に示すようなファスナ６３によって開閉できるような構成にするに先立って、図７に示すように第１外側シート部材６２Ａ及び第２外側シート部材６２Ｂを水平方向に開いた状態で、その内側を治具に当接することにより、第１外側シート部材６２Ａ及び第２外側シート部材６２Ｂを水平方向に広げた状態で、インクジェットプリンタによって外表面６５に全体として意匠画像６６を印刷する。
【００４９】
この場合、裏側に治具を設ける際にはファスナ６３内に設けた蛇腹構成の小銭入れは取りはずした状態で意匠画像６６の印刷処理を行い、その後小銭入れ部分を装着するようにし、かくして意匠画像６６のプリンタによる印刷を容易になし得る。
【００５０】
図６及び図７の構成によれば、２つ折りの外側シート部６１にユーザの好みに合わせた意匠画像６６を印刷した財布を実現できる。
【産業上の利用可能性】
【００５１】
本考案は趣味的に使われる財布に適用できる。
【符号の説明】
【００５２】
１、６０……財布、２、６１……外側シート部、３……第１カード収納部、４……小銭入れ部、５……第２カード収納部、１１……外側シート部材、１２……内側シート部材、１５……札入れ、１６Ａ、１６Ｂ、６４……折れ線、２２……カード保持シート、２３、２６Ａ、２６Ｂ、３３……カード、２５Ａ、２５Ｂ……カード用スリット、３１……カード保持シート、３２……縫糸、３５……二つ折り側面部材、３６……収容部、３７……カバー部材、３８……スナップボタン、４０……意匠画像、４５、４６……係止用マグネット、５０……治具、５１……第１カード収納部用凹所、５２……小銭入れ部用凹所、５３……第２カード収納部用凹所、５４……印刷処理用平面。
【図１】
0003212610.tif 000003
【図２】
0003212610.tif 000004
【図３】
0003212610.tif 000005
【図４】
0003212610.tif 000006
【図５】
0003212610.tif 000007
【図６】
0003212610.tif 000008
【図７】
0003212610.tif 000009
【図８】
0003212610.tif 000010